(57)【要約】【課題】媒体に形成される印影の品質を向上する。【解決手段】媒体に印影を形成するスタンプと、前記スタンプに対向する位置に、前記スタンプの軸方向と交差する方向に沿う回転軸周りに回転可能な受け板部を有する、前記媒体の搬送路と、前記スタンプと前記受け板部を近接および離隔させる駆動部と、を備える、媒体処理装置。【選択図】図５
2019084805.tif 000002
【特許請求の範囲】
【請求項１】
媒体に印影を形成するスタンプと、
前記スタンプに対向する位置に、前記スタンプの軸方向と交差する方向に沿う回転軸周りに回転可能な受け板部を有する、前記媒体の搬送路と、
前記スタンプと前記受け板部を近接および離隔させる駆動部と、
を備える、媒体処理装置。
【請求項２】
前記媒体処理装置は、
前記受け板部を前記スタンプ側に付勢する弾性部と、
前記受け板部による前記スタンプの軸方向に沿う往復移動をガイドするガイド部と、
をさらに備える、請求項１に記載の媒体処理装置。
【請求項３】
前記媒体処理装置は、
前記受け板部を支持し、前記スタンプの軸方向に沿って形成された壁部を有する支持部と、
前記支持部の壁部または前記ガイド部に形成されたガイド溝に挿入され、前記壁部と前記ガイド部とを連結する連結部と、
をさらに備え、
前記支持部および前記支持部に支持される前記受け板部は、前記連結部を前記回転軸として回転可能である、請求項２に記載の媒体処理装置。
【請求項４】
前記支持部は、前記連結部の軸方向上のあそびを持って前記ガイド部に連結される、請求項３に記載の媒体処理装置。
【請求項５】
前記ガイド部は、前記ガイド溝の両側に、前記支持部が有する前記スタンプ側を向く面と当接する当接部を有し、
前記支持部は、前記スタンプの押印待機時に前記当接部と当接することにより、前記受け板部が前記スタンプの軸方向に直交する平面に沿って位置するように前記受け板部を支持する、請求項３または４に記載の媒体処理装置。
【請求項６】
前記駆動部は、前記スタンプの軸方向に沿って前記駆動部を往復移動させることにより、前記スタンプと前記受け板部を近接および離隔させる、請求項１〜５のいずれか一項に記載の媒体処理装置。
【発明の詳細な説明】
【技術分野】
【０００１】
本発明は、媒体処理装置に関する。
【背景技術】
【０００２】
近年、郵便局およびコンビニエンスストアなどの店舗において、通信販売での購入代金や公共料金の支払いを受ける収納代行業務が広く行われている。例えば、店員は、顧客から受け取った払込票の枚数を確認し、店員側タッチパネルやキーボードなどを操作してＰＯＳ端末に払込票の枚数を入力する。続いて、店員は、払込票に記載されたデータコードをデータコードリーダで読み取り、合計収納金額の確認と承認を顧客に依頼する。この時、合計金額と承認ボタンが顧客側タッチパネルに表示される。顧客が承認ボタンを押下すると、店員は、顧客から現金を受け取り、現金収納部（キャッシュドロワ―）に現金を入金して、釣銭があった場合には釣銭を顧客に返却する。また、店員は、店員側タッチパネルやキーボードなどを操作して、当該顧客から収納金額を領収したことをＰＯＳ端末に入力する。さらに、店員は、払込票の領収印欄に当日の日附を含む領収印をスタンプにより形成する。また、印紙が必要な場合には、店員は払込票の印紙貼付欄に印紙を貼り付ける。その後、店員は領収印欄を含むお客様控え（受領証領域）を払込票から切り離して顧客に渡す。最後に、店員は払込票の保管場所にお客様控えが切り離された払込票を格納する。
【０００３】
上記のように、収納代行業務には、スタンプによる領収印の形成が含まれる。例えば特許文献１には、スタンプを用いて印影を自動形成するスタンプ装置が開示されている。
【先行技術文献】
【特許文献】
【０００４】
【特許文献１】特開２０１０−４９１５８号公報
【発明の概要】
【発明が解決しようとする課題】
【０００５】
上述した収納代行業務が装置により実行される場合、装置には、媒体の一例である払込票に印影（領収印）を形成するスタンプ機構が設けられる。しかし、固定された受け板に対してスタンプを押し付ける場合、スタンプの印面に圧力の偏りが生じ、印面欠けや濃淡のばらつきが生じてしまう問題がある。押印結果を確認しながらスタンプの取り付け角度を微修正すれば上記問題は改善され得るが、作業者の手間が大きくなる。
【０００６】
そこで、本発明は、上記問題に鑑みてなされたものであり、本発明の目的とするところは、媒体に形成される印影の品質を向上することが可能な、新規かつ改良された媒体処理装置を提供することにある。
【課題を解決するための手段】
【０００７】
上記課題を解決するために、本発明のある観点によれば、媒体に印影を形成するスタンプと、前記スタンプに対向する位置に、前記スタンプの軸方向と交差する方向に沿う回転軸周りに回転可能な受け板部を有する、前記媒体の搬送路と、前記スタンプと前記受け板部を近接および離隔させる駆動部と、を備える、媒体処理装置が提供される。
【０００８】
前記媒体処理装置は、前記受け板部を前記スタンプ側に付勢する弾性部と、前記受け板部による前記スタンプの軸方向に沿う往復移動をガイドするガイド部と、をさらに備えてもよい。
【０００９】
前記媒体処理装置は、前記受け板部を支持し、前記スタンプの軸方向に沿って形成された壁部を有する支持部と、前記支持部の壁部または前記ガイド部に形成されたガイド溝に挿入され、前記壁部と前記ガイド部とを連結する連結部と、をさらに備え、前記支持部および前記支持部に支持される前記受け板部は、前記連結部を前記回転軸として回転可能であってもよい。
【００１０】
前記支持部は、前記連結部の軸方向上のあそびを持って前記ガイド部に連結されてもよい。
【００１１】
前記ガイド部は、前記ガイド溝の両側に、前記支持部が有する前記スタンプ側を向く面と当接する当接部を有し、前記支持部は、前記スタンプの押印待機時に前記当接部と当接することにより、前記受け板部が前記スタンプの軸方向に直交する平面に沿って位置するように前記受け板部を支持してもよい。
【００１２】
前記駆動部は、前記スタンプの軸方向に沿って前記駆動部を往復移動させることにより、前記スタンプと前記受け板部を近接および離隔させてもよい。
【発明の効果】
【００１３】
以上説明したように本発明によれば、媒体に形成される印影の品質を向上することが可能である。
【図面の簡単な説明】
【００１４】
【図１】本発明の実施形態に係る払込票処理システムの構成例を説明する説明図である。
【図２】払込票の一例を説明するための説明図である。
【図３】払込票処理装置の機能ブロック図である。
【図４】払込票処理装置の機構部の内部構成を模式的に示した説明図である。
【図５】印字部の正面図である。
【図６】印字部の側面図であり、上部ユニットを昇降させるための駆動機構を示す。
【図７】受け板部および支持部を示す斜視図である。
【図８】ガイド部を示す斜視図である。
【図９】押印待機時における下部ユニットを示す斜視図である。
【図１０】押印時の印字部を示す正面図である。
【図１１】押印時の印字部を示す斜視図である。
【図１２】押印時の下部ユニットを示す正面図である。
【発明を実施するための形態】
【００１５】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１７】
＜１．払込票処理システム１の構成＞
まず、本発明の実施形態に係る払込票処理システム１の構成について説明する。図１は、本発明の実施形態に係る払込票処理システム１の構成例を説明する説明図である。図１に示すように、当該払込票処理システム１は、払込票処理装置（媒体処理装置）１０、センタサーバ２０及び通信網６０を含む。以下に、払込票処理システム１に含まれる各装置等の概略を説明する。
【００１８】
（払込票処理装置１０）
払込票処理装置１０は、払込票８００（図２  参照）に関する各種の処理を行う装置であり、コンビニエンスストア等の店舗に設置され、店員であるオペレータ、または店舗等を訪れた顧客等によって操作される。具体的には、払込票処理装置１０は、挿入された払込票８００に印字されているデータコードの読み取り、読み取ったデータコードの解析、当該払込票８００に対応する支払金額の入金処理、当該払込票８００に対する領収印の印字又は押印（形成）、及び、受領証８０８（図２  参照）の排出等の収納代行業務を実行することができる。なお、当該払込票処理装置１０の詳細構成については後述する。
【００１９】
（センタサーバ２０）
センタサーバ２０は、払込票８００に係る収納代行業務に関する情報を管理する装置である。センタサーバ２０は、収納代行業務に関する情報を、通信網６０を介して払込票処理装置１０との間で送受信することが可能である。例えば、センタサーバ２０は、払込票処理装置１０において収納代行業務が行われた払込票８００に関する情報を払込票処理装置１０から受信する。
【００２０】
（通信網６０）
通信網６０は、通信網６０に接続されている装置（例えば、払込票処理装置１０及びセンタサーバ２０）から送信される情報の有線、又は無線の伝送路である。例えば、通信網６０は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網６０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２１】
（払込票８００の構成例）
次に、払込票処理装置１０で取り扱われる払込票８００の構成例について、図２を用いて説明する。図２は、本実施形態において取り扱われる払込票８００の一例を説明するための説明図である。
【００２２】
払込票８００は、コンビニエンスストア、金融機関等の店舗等において、税金、公共料金、通信販売での購入代金等の納付を行うため、事業者等から納付者である顧客へ送付される媒体である。具体的には、顧客が、当該払込票８００をコンビニエンスストア等の店舗に持参し、本実施形態に係る払込票処理装置１０に挿入することにより、当該払込票処理装置１０による収納代行業務が行われることとなる。
【００２３】
図２に示すように、払込票８００は、払込取扱票８０４、店舗控え８０６及び受領証８０８からなる。顧客が払込票８００を店舗に持ち込む際には、払込票８００は、払込取扱票８０４、店舗控え８０６及び受領証８０８が１つに結合した形態を有する。また、払込取扱票８０４、店舗控え８０６及び受領証８０８の互いの境目には、容易にこれらを切り離すことができるようにするミシン目（図示省略）が設けられていてもよい。本実施形態に払込票処理装置１０による収納代行業務が完了した際には、払込取扱票８０４、店舗控え８０６及び受領証８０８は、領収印が押され、互いに切り離される。そして、当該払込票処理装置１０は、払込取扱票８０４及び店舗控え８０６（第２の部分）から切り離された受領証８０８（第１の部分）を、顧客に返却（排出）する。
【００２４】
詳細には、図２に示すように、払込取扱票８０４は、納付先の口座番号や納付金額等の情報の他、領収印領域８１０とデータコード領域８１２とを含む。領収印領域８１０は領収印が押印又は印字される領域である。また、データコード領域８１２には、例えば、バーコード等の、収納に関する情報を含む１次元又は２次元のデータコードが形成される。なお、払込取扱票８０４は、本部控えとも呼ばれ、店舗等において当該払込票８００による収納代行業務が行われた後に事業者又は本部に送られる。
【００２５】
店舗控え８０６は、図２に示すように領収印領域８１４を含む。当該領収印領域８１４は領収印が押印又は印字される領域である。
【００２６】
受領証８０８は、図２に示すように、領収印領域８１０を含む。領収印領域８１６は、領収印の押印又は印字のために設けられた領域である。なお、受領証８０８は、お客様控えとも呼ばれ、先に説明したように当該払込票８００に係る収納代行業務が完了した後に顧客に返却（排出）される。
【００２７】
なお、以下に説明する本発明の第１の実施形態の払込票処理装置１０は、図２に示すような払込票８００を取り扱うことができる。さらに、本実施形態に係る払込票処理装置１０は、図２に示すような形態以外の他の払込票８００も取り扱うことができる。当該払込票処理装置１０が扱うことができる払込票８００は、長方形の紙状媒体であって、少なくとも払込取扱票８０４、店舗控え８０６及び受領証８０８の３つの部分を持ち、顧客が当該払込票８００を店舗に持ち込む際には、これらが１つにつながった形態を有していれば、幅や長さ等が異なっても、記載形式やレイアウト等が異なっていてもよい。また、本発明の実施形態は、上述したような払込票８００の取扱いに対する適用に限定されるものではなく、小切手、有価証券、商品券、通帳、チケット等の紙状媒体の取扱いであれば、特に限定されるものはなく、適用することができる。
【００２８】
＜２．払込票処理装置の構成＞
次に、本発明の実施形態に係る払込票処理装置１０の構成について、図３及び図４を参照して説明する。図３は、本実施形態に係る払込票処理装置１０の機能ブロック図であり、図４は、本実施形態に係る払込票処理装置１０の機構部１２０の内部構成を模式的に示した説明図である。
【００２９】
図３に示すように、本実施形態に係る払込票処理装置１０は、制御部１００と、電源部１０２と、記憶部１０４と、通信部１０６と、紙幣処理部１０８と、硬貨処理部１１０と、操作表示部１１２と、機構部１２０とを主に有する。以下に、当該払込票処理装置１０の各機能ブロックの詳細について順次説明する。
【００３０】
（制御部１００）
制御部１００は、払込票処理装置１０の内部に設けられ、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）等を用いて、払込票処理装置１０の動作を全般的に制御する。また、制御部１００は、正確な時刻や日付を把握する時計機構（図示省略）を内蔵してもよい。詳細には、制御部１００は、搬送部１２４を制御して、払込票８００を内部へ搬送したり、払込票８００の搬送状況を確認したりすることができる。また、制御部１００は、後述する紙幣処理部１０８及び硬貨処理部１１０を制御して、顧客との間で現金取引（代金等の精算）等を行うこともできる。例えば、制御部１００は、挿入された払込票８００を一時的に保留するために、後述する複数の一時保留部１３２の中から１つの一時保留部１３２を選択し、選択した一時保留部１３２へ払込票８００を搬送するように搬送部１２４を制御することができる。
【００３１】
（電源部１０２）
電源部１０２は、払込票処理装置１０の内部に設けられ、外部から供給される商用電源を払込票処理装置１０内の各部分に供給する。例えば、電源部１０２は、払込票処理装置１０内の部分ごとに、外部からの商用電源を当該部分の稼働に必要な電力に変換し、変換後の電力を当該部分に供給する。
【００３２】
（記憶部１０４）
記憶部１０４は、払込票処理装置１０の内部に設けられ、各種のデータや各種のソフトウェアを格納するＨＤＤ（Ｈａｒｄ  Ｄｉｓｋ  Ｄｒｉｖｅ）装置等のデータ格納用記憶装置等からなる。例えば、記憶部１０４は、個々の払込票８００からスキャナ部１２６により読み取った情報を、当該払込票８００に関する処理ステータスに関連付けて格納することができる。また、記憶部１０４は、各種形態を持つ払込票８００における領収印の押印する位置についての位置情報及び払込票８００を切り離す位置についての位置情報を含むフォーマットデータベースを格納することができる。
【００３３】
（通信部１０６）
通信部１０６は、払込票処理装置１０の内部に設けられ、有線／無線によりセンタサーバ２０との間でデータの送受信を行うための通信モジュールである。例えば、通信部１０６は、ＬＡＮ（Ｌｏｃａｌ  Ａｒｅａ  Ｎｅｔｗｏｒｋ）や電話回線等に接続され、センタサーバ２０との間で情報の送受信を行う。
【００３４】
（紙幣処理部１０８及び硬貨処理部１１０）
紙幣処理部１０８及び硬貨処理部１１０は、現金の入出金に関する処理を行う機能ブロックである。詳細には、紙幣処理部１０８は、入金された紙幣を計数し、計数された紙幣の格納処理、及び釣銭の出金処理を行う。また、硬貨処理部１１０は、上述の紙幣処理部１０８と協働して、入金された硬貨を計数し、計数された硬貨の格納処理、及び釣銭の出金処理を行う。
【００３５】
（操作表示部１１２）
操作表示部１１２は、払込票処理装置１０の顧客と向かい合う正面に設けられ、顧客による入力操作を受け付ける入力部としての機能、および、顧客へ各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は、例えば、上述の各種表示装置に重ねられたタッチパネルにより実現される。なお、表示部および入力部の機能は一体的に構成される代わりに、分離して構成されてもよい。
【００３６】
（機構部１２０）
機構部１２０は、主に払込票８００を処理するための機構であり、図３及び図４に示すように、挿入部１２２と、搬送部１２４と、スキャナ部（撮像部）１２６と、印字部１２８と、カッタ部１３０と、一時保留部１３２と、回収部１３４と、検知部１３６とを主に有する。以下に、機構部１２０の各構成要素の詳細について、順次説明する。
【００３７】
−挿入部１２２−
挿入部１２２は、顧客による払込票８００の挿入を受け付け、挿入された払込票８００を装置の内部へ取り込むことができる。詳細には、挿入部１２２は、図４に示すように、顧客と向かい合う正面に設けられた、払込票８００が挿入される挿入口としての開口部を有する。さらに、当該開口部は、払込票処理装置１０にて処理された払込票８００の一部（詳細には、受領証８０８）が顧客へ返却（排出）される際の返却口としても機能することができる。従って、本実施形態に係る払込票処理装置１０によれば、上記開口部を挿入口及び返却口の両方として機能させるようにしたことで、顧客は直感的に払込票処理装置１０を利用することができ、顧客にとっての利便性を高めることができる。
【００３８】
また、挿入部１２２の開口部の内側には、顧客から挿入された複数の払込票８００を１枚ずつ分離する分離機構（図示省略）が設けられていてもよい。この場合、顧客が払込票８００を複数枚同時に開口部に挿入すると、上記分離機構は、払込票８００を１枚ずつ分離して、内部へ搬送する。その際、上記分離機構は、先に搬送された払込票８００の搬送状況に合わせて次の払込票８００を分離し、内部へ搬送する。なお、上記分離機構を設けていない場合には、顧客は払込票８００を１枚ずつ開口部に挿入することとなる。さらに、挿入部１２２の開口部の内側には、挿入された払込票８００を検知するために、後述する検知部１３６ａが設けられていてもよい。さらに、挿入部１２２の開口部の内側には、搬送される払込票８００を所定の位置に誘導するガイド機構が設けられていてもよい。
【００３９】
−搬送部１２４−
搬送部１２４は、挿入部１２２に挿入された払込票８００を払込票処理装置１０内の各所に向けて搬送する搬送機構である。詳細には、搬送部１２４は、図４中では線状に示され、挿入部１２２から、後述するカッタ部１３０、印字部１２８及びスキャナ部１２６を貫き、一時保留部１３２及び回収部１３４の各所まで連続して設けられた搬送路を有する。さらに、搬送部１２４は、当該搬送路に沿って設けられた複数の各種ローラ１３８と、払込票８００の搬送方向を切り替える複数のブレード１４０とを有する。より具体的には、各ローラ１３８は、搬送路を挟んで対向するように配置され、上述の制御部１００により制御され各ローラ１３８が回転することにより、払込票８００を搬送することができる。さらに、制御部１００によって、搬送路に接して設けられた楔形形状のブレード１４０の傾斜方向を変化させることにより、払込票８００の搬送方向を切り替えることができる。
【００４０】
詳細には、図４に示すように、搬送部１２４は、第１の搬送部１２４ａと第２の搬送部１２４ｂとを有する。第１の搬送部１２４ａは、払込票処理装置１０の下部に、水平方向に延びるように設けられている。また、第１の搬送部１２４ａは、上述の挿入部１２２から後述するカッタ部１３０及び印字部１２８を貫くように伸びており、印字部１２８を過ぎたあたりで、垂直方向に上方へカーブして延びる第２の搬送部１２４ｂと接続されている。さらに、第２の搬送部１２４ｂは、第１の搬送部１２４ａからスキャナ部１２６を貫き、後述する回収部１３４及び複数の一時保留部１３２のそれぞれへ分岐して延びている。
【００４１】
挿入部１２２から延びる第１の搬送部１２４ａには、図４に示すように、複数の幅寄せローラ１３８ｂが設けられ、当該幅寄せローラ１３８ｂが第１の方向に回転することにより、挿入部１２２に挿入された払込票８００を、基準面に幅寄せしながら、装置に内部へと搬送することができる。また、当該幅寄せローラ１３８ｂが上記第１の方向とは逆の第２の方向に回転することにより、内部で処理された払込票８００を挿入部１２２の開口部へ搬送することができる。なお、搬送部１２４によって搬送されている払込票８００の搬送状況（到達の有無）は、後述する検知部１３６によって検知することができる。また、本実施形態においては、搬送部１２４の各種ローラ１３８は、図４に示されるような数や位置に設けられていなくてもよく、装置構成等に応じて数や位置等を適宜変更することができる。
【００４２】
また、搬送部１２４の搬送速度は、後述するスキャナ部１２６による払込票８００の読み取りが行われていない場合には、当該読み取り時に比べて速くなるように設定することが好ましく、このようにすることで払込票８００の処理時間をより短くすることができる。
【００４３】
−スキャナ部１２６−
スキャナ部１２６は、例えば、図４に示すように、挿入部１２２から見て回収部１３４の手前、すなわち、回収部１３４よりも挿入部１２２に近い位置に設けられている。スキャナ部１２６は、例えば、ＯＣＲ（Ｏｐｔｉｃａｌ  Ｃｈａｒｃｔｅｒ  Ｒｅｃｏｇｎｉｔｉｏｎ）といったイメージセンサによって構成され、搬送された払込票８００の表面を光学的に読み取り、デジタル静止画像として上述の記憶部１０４に格納する。より具体的には、スキャナ部１２６は、払込票８００に印刷されているデータコードを撮像し、撮像画像を画像解析することにより、当該データコードに記録されている情報を取得することができる。
【００４４】
なお、図４に示すように、スキャナ部１２６と向かい合うように、スキャナ部１２６上を通過させるように払込票８００を搬送するフィードローラ１３８ｄが設けられていてもよい。また、本実施形態においては、払込票８００の裏面の画像を取得したい場合には、払込票８００の裏面と向かい合うように更なる他のスキャナ部（図示省略）を設けてもよい。
【００４５】
なお、スキャナ部１２６は、払込票処理装置１０に複数個設けられていてもよく、例えば、本実施形態においては、領収印が押印又は印字され、払込票８００から切り離された受領証（第１の部分）８０８を読み取る、図示しないスキャナ部がさらに設けられていてもよい。このようにすることにより、店舗側又は事業者は、受領証８０８に領収印が押されたか否か、適切に処理日時を示す領収印が押されたか否かを、上記スキャナ部で読み取った受領証８０８の画像によって後日確認することができる。
【００４６】
−印字部１２８−
印字部１２８は、例えば、図４に示すように、挿入部１２２から見てスキャナ部１２６及び回収部１３４の手前、すなわち、スキャナ部１２６及び回収部１３４よりも挿入部１２２に近い位置に設けられている。印字部１２８は、スタンプやプリンタ装置によって構成され、上述の制御部１００の制御に従って、搬送された払込票８００に対して領収印の押印又は印字を行う。また、印字部１２８には、払込票８００に対して押印又は印字を行う際に、払込票８００の先端部を検知する検知部（スタンプタイミング検知部）１３６ｄが設けられていてもよい。
【００４７】
例えば、払込票８００に係る代金等が入金済みである場合には、印字部１２８は、当該払込票８００に対して、領収印の押印又は印字を行う。また、印字部１２８は、領収印の押印又は印字の際、当該払込票８００に係る収納代行業務を行った日付や日時等を当該払込票８００に押印又は印字してもよい。なお、印字部１２８は、スタンプ及びプリンタ装置の両方を組み合わせることによって実現されてもよい。
【００４８】
また、本実施形態に係る払込票処理装置１０においては、様々な形態を持つ払込票８００に係る収納代行業務を行うこととなる。従って、払込票８００の形態に応じて、領収印を押印又は印字する位置が変わってくることとなる。そこで、本実施形態においては、上述のスキャナ部１２６で読み取った払込票８００の画像に基づき、印字部１２８を払込票処理装置１０の正面から見て左右方向（図４においては紙面に対して垂直方向）に移動させることができる移動機構（図示省略）が設けられていることが好ましい。また、印字部１２８を移動させるようにした場合、印字部１２８が移動可能な領域において、印字部１２８との交差を避けるために搬送部１２４が途切れることとなり、そのような箇所では、払込票８００のスムーズな搬送が難しくなる場合がある。そこで、印字部１２８の移動可能領域においては、搬送部１２４は、印字部１２８の押印時又は印字時に退避し、払込票８００の搬送時には払込票８００に接するように位置することができるように構成されることが好ましい。
【００４９】
−カッタ部１３０−
カッタ部１３０は、上下方向に沿って移動する刃を持ち、刃を払込票８００に当接することにより、払込票８００の各領域を切り離すことができる。当該カッタ部１３０は、例えば、図４に示すように、挿入部１２２の近傍、すなわち、上述の印字部１２８よりも挿入部１２２に近い位置に設けられている。例えば、払込票８００に係る代金等が入金済みである場合には、カッタ部１３０は、下方向に移動して、当該払込票８００の受領証８０８（第１の部分）を払込取扱票８０４及び店舗控え８０６（第２の部分）から切り離す。なお、払込票８００を切り離す際に払込票８００の端部を検知する複数の検知部（カッタタイミング検知部）１３６ｂ、１３６ｃが、カッタ部１３０を挟み込むように設けられていてもよい。
【００５０】
−一時保留部１３２−
一時保留部１３２は、挿入された払込票８００を一時的に保留する機構である。当該一時保留部１３２は、例えば、図４に示すように、複数ある搬送部１２４の先端部に、搬送部１２４の一部としてそれぞれ設けられることができる。なお、本実施形態においては、複数の払込票８００に係る収納代行業務を迅速に処理できるように、４つ以上の一時保留部１３２が設けられることが好ましい。また、顧客から複数枚の払込票８００が挿入された場合には、上述の制御部１００は、挿入部１２２に近い一時保留部１３２から優先して払込票８００を保留させるように、挿入部１２２に近い順に一時保留部１３２を選択し、選択した一時保留部１３２に払込票８００を搬送するように、上述の搬送部１２４を制御する。
【００５１】
なお、図４に示すように、各一時保留部１３２及び後述する回収部１３４の入り口の手前には、複数のフィードローラ１３８ｃとブレード１４０とが設けられ、払込票８００の搬送先を切り替えることができる。さらに、各一時保留部１３２及び回収部１３４の入り口の手前には、一時保留部１３２及び回収部１３４の入り口に払込票８００等が到達したことを検知するために、後述する複数の検知部１３６ｅが設けられていることが好ましい。
【００５２】
−回収部１３４−
回収部１３４は、払込票８００に係る代金等が入金済みである場合には、カッタ部１３０によって切り離された、当該払込票８００の払込取扱票８０４及び店舗控え８０６（第２の部分）を収納する。当該回収部１３４は、例えば、図４に示すように、挿入部１２２から見て一時保留部１３２の手前、すなわち、一時保留部１３２よりも挿入部１２２に近い位置に設けられている。回収部１３４は、払込票処理装置１０における収納代行業務において、ほぼ毎回、払込取扱票８０４及び店舗控え８０６の収納を行う。従って、回収部１３４を挿入部１２２やカッタ部１３０に近い位置に設けることにより、回収部１３４に払込取扱票８０４及び店舗控え８０６が収納されるまでの搬送距離及び搬送時間をより少なくすることができる。
【００５３】
回収部１３４の入り口には、こしつけローラ１３８ｅが設けられ、払込取扱票８０４及び店舗控え８０６は、当該こしつけローラ１３８ｅにより、回収部１３４に放出される。この際、放出された払込取扱票８０４及び店舗控え８０６が回収部１３４の入り口をふさぐことが無いように、こしつけローラ１３８ｅに設けられた舌片（図示省略）によって叩かれるようにして払込取扱票８０４及び店舗控え８０６は回収部１３４に落下しながら放出される。なお、こしつけローラ１３８ｅと舌片とは、図示しない駆動機構によって回転することができる。当該駆動機構が、回収部１３４に払込取扱票８０４及び店舗控え８０６が放出される際のこしつけローラ１３８ｅの回転方向とは逆の回転方向に回転した場合に、既に収納された払込取扱票８０４及び店舗控え８０６が回収部１３４から誤って繰り出されることを防ぐために、上記駆動機構はワンウェイクラッチ機構を有することが好ましい。
【００５４】
さらに、回収部１３４は、図４に示すように、回収部１３４の入り口から遠ざかるに応じて底面が高くなるように傾斜して設けられていることが好ましく、このようにすることで、こしつけローラ１３８ｅ等によって放出された払込取扱票８０４及び店舗控え８０６が、放出の際の勢いによって回収部１３４から飛び出すことを避けることができる。また、回収部１３４に収納された払込取扱票８０４及び店舗控え８０６は、回収部１３４の近傍に設けられた扉（図示省略）から外部へ取り出すことができる。
【００５５】
−検知部１３６−
検知部１３６は、上述の搬送路上に設けられて、払込票８００の搬送状況を検知する。検知部１３６としては、例えば、払込票８００により光が遮られることにより払込票８００の到達又は通過の有無を検知する受発光センサからなる光学式センサ等を用いることができる。さらに、本実施形態に係る払込票処理装置１０は、これまで説明した各種検知部１３６の他に、挿入部１２２の開口部の外側に設けられ、未挿入の払込票８００を検知するための検知部（図示省略）を有していてもよく、搬送部１２４の途中で払込票８００が詰まってしまったこと（ジャム）を検知するための検知部（図示省略）を有していてもよい。
【００５６】
さらに、払込票処理装置１０は、カード状の媒体の挿入を受け付けて当該媒体に記録された情報を読み取る読取部（図示省略）を有してもよく、もしくは、顧客に対して生体認証（例えば、指紋認証）を行う認証機構を有していてもよい。また、払込票処理装置１０は、顧客に対して音声等を出力することができるスピーカ（図示省略）を有していてもよい。
【００５７】
＜３．印字部の構成＞
以上、本発明の実施形態による払込票処理装置１０の構成を説明した。続いて、図５〜図９を参照して、払込票処理装置１０が有する印字部１２８の構成を説明する。
【００５８】
図５は、印字部１２８の正面図である。図５に示したように、印字部１２８は、上部ユニット２００と、下部ユニット３００と、第１固定部４１０と、第２固定部４２０と、を有する。
【００５９】
上部ユニット２００は、第１摺動部２１２、第２摺動部２２２、スタンプ２３０およびスタンプカバー２３２を有する。第１摺動部２１２は、第１固定部４１０にスタンプ２３０の軸方向（以下、上下方向とも称する。）に沿って設けられたレール部４１２上を摺動する。第２摺動部２２２は、第２固定部４２０に上下方向に沿って設けられたレール部４２２上を摺動する。上部ユニット２００が図５には示さない駆動機構から上部ユニット２００を昇降させる駆動力を受けると、上記の第１摺動部２１２および第２摺動部２２２がレール部４１２およびレール部４２２を摺動し、上部ユニット２００が昇降する。
【００６０】
スタンプ２３０は、領収印（印影）を払込票に形成するための印面を有する。スタンプカバー２３２は、スタンプ２３０の上部を覆う部材である。上部ユニット２００の昇降に伴い、スタンプ２３０も昇降する。具体的には、スタンプ２３０は、押印待機時には下部ユニット３００から離隔して位置しており、押印時には下部ユニット３００に近接し、払込票に押し当てられることで、払込票に領収印が形成される。
【００６１】
下部ユニット３００は、受け板部３１０およびガイド部３４０を有する。受け板部３１０は、搬送路１２５の一部を形成し、スタンプ２３０に対向する位置に設けられる。ガイド部３４０はスプリング３４８を有し、受け板部３１０の昇降をガイドする。スプリング３４８は、受け板部３１０をスタンプ２３０側に付勢する弾性部の一例である。スタンプ２３０の押印時に、スタンプ２３０が払込票を介して受け板部３１０を押すことにより、受け板部３１０がスプリング３４８の付勢力に対抗して押下げられる。なお、押印待機時においては、図５に示したように、受け板部３１０は、受け板部３１０に隣接する搬送路１２５の下側ガイドよりも上側に位置する。例えば、受け板部３１０は、スタンプ２３０の両側に位置する２つの幅寄せローラ１３８ｂの接点を結ぶ線上に位置してもよい。かかる構成によれば、スタンプ２３０の押印時に払込票が上下に移動する量を抑制することが可能である。
【００６２】
以上、印字部１２８の概略構成を説明した。続いて、印字部１２８の各要素の構成を順次詳細に説明する。
【００６３】
（駆動機構）
図６は、印字部１２８の側面図であり、上部ユニット２００を昇降させるための駆動機構を示す。図６に示したように、駆動機構は、モーターギヤ２４２および２段ギヤ２４４を有する。
【００６４】
モーターギヤ２４２は、図示しない駆動モーターが発生させた駆動力により回転するギヤである。２段ギヤ２４４は、小ギヤおよび大ギヤを有し、大ギヤにモーターギヤ２４２が噛み合う。モーターギヤ２４２および２段ギヤ２４４は、払込票処理装置１０に固定されている。
【００６５】
２段ギヤ２４４の小ギヤには、上部ユニット２００に設けられたラック２３６が噛み合う。ラック２３６は、上下方向に沿って形成されているプレートであり、２段ギヤ２４４の小ギヤと噛み合う歯面を有する。駆動モーターが駆動力を発生させると、当該駆動力がモーターギヤ２４２および２段ギヤ２４４を介してラック２３６に伝達され、ラック２３６が駆動力を回転駆動力から直線駆動力に変換する。結果、上部ユニット２００が昇降する。
【００６６】
また、第２固定部４２０には、上位置検出センサ２４８および下位置検出センサ２４９が設けられる。上位置検出センサ２４８および下位置検出センサ２４９は、上部ユニット２００の遮光部２３４による遮光を検出する。上位置検出センサ２４８が遮光を検出した場合、上部ユニット２００は押印待機位置に存在すると考えられる。下位置検出センサ２４９が遮光を検出した場合、上部ユニット２００は押印位置に存在すると考えられる。このため、制御部１００は、押印時には下位置検出センサ２４９により遮光が検出されるまで上部ユニット２００を下降させ、押印終了後、上位置検出センサ２４８により遮光が検出されるまで上部ユニット２００を上昇させる。
【００６７】
（受け板部および支持部の構成）
次に、下部ユニット３００の一部である受け板部３１０および支持部３２０の構成を説明する。
【００６８】
図７は、受け板部３１０および支持部３２０を示す斜視図である。図７に示したように、支持部３２０は、受け板部３１０の裏面に接合される面である接合部３２２と、接合部３２２の搬送方向上の両端部から下側に延出する壁部３２４を有し、受け板部３１０を支持する。
【００６９】
壁部３２４には、壁部３２４と後述するガイド部３４０を連結するための連結部３３０が設けられる。連結部３３０は例えばスタッドで構成され得る。壁部３２４は、上下方向に沿う両側の縁に凹部３２６を有する。各凹部３２６の一部は、スタンプ２３０側を向く面３２６ａにより形成される。面３２６ａは、いずれも上下方向上の同一位置に形成される。
【００７０】
（ガイド部の構成）
続いて、下部ユニット３００の一部であるガイド部３４０の構成を説明する。
【００７１】
図８は、ガイド部３４０を示す斜視図である。図８に示したように、ガイド部３４０は、ガイド溝３４２、リミッタシャフト３４６（当接部）、および図５に示したスプリング３４８を有する。ガイド溝３４２は、払込票の搬送方向上で離隔する２の板部に上下方向に沿って形成される。
【００７２】
リミッタシャフト３４６は、ガイド溝３４２の両側に、払込票の搬送方向上で離隔する２の板部の間に亘って設けられる。２つのリミッタシャフト３４６は、水平方向に沿って、上下方向上の同一位置に形成される。
【００７３】
（下部ユニットの構成）
図９は、押印待機時における下部ユニット３００を示す斜視図である。図９に示したように、連結部３３０がガイド部３４０のガイド溝３４２に挿入されることで、支持部３２０の壁部３２４とガイド部３４０とが連結される。連結部３３０はガイド溝３４２に沿って昇降可能であるので、支持部３２０および受け板部３１０も昇降可能である。また、連結部３３０はガイド部３４０に対して回転可能に取り付けられるので、支持部３２０および受け板部３１０は、連結部３３０の軸を回転軸にして回転可能である。連結部３３０の軸方向は、スタンプ２３０の軸方向と交差し、より具体的には、スタンプ２３０の軸方向と直交することが望ましい。
【００７４】
押印待機時には、図９に示したように、支持部３２０のスタンプ２３０側を向く面３２６ａがリミッタシャフト３４６に当接することにより、支持部３２０の姿勢が所定の姿勢に維持される。具体的には、受け板部３１０が上下方向に直交する水平面に沿って位置するように、支持部３２０の姿勢が維持される。かかる構成により、押印待機時に受け板部３１０上においても円滑に払込票を搬送することが可能である。
【００７５】
＜４．印字部の動作＞
以上、印字部１２８の構成を説明した。続いて、図１０および図１１を参照して、印字部１２８による押印の動作を説明する。
【００７６】
図１０は押印時の印字部１２８を示す正面図であり、図１１は押印時の印字部１２８を示す斜視図である。図１０に示したように、押印時には上部ユニット２００が下部ユニット３００側に下降し、スタンプ２３０が払込票に押し当てられる。スタンプ２３０が払込票を押す力が、図１０および図１１に示したように、スプリング３４８の付勢力に対抗して受け板部３１０および支持部３２０を押下げる。
【００７７】
この時、支持部３２０および受け板部３１０は、図１１に円弧状の矢印で示したように、連結部３３０の軸を回転軸にして回転可能である。従って、スタンプ２３０の印面が連結部３３０と平行な軸周りの傾きを有する場合であっても、スタンプ２３０の印面と平行になるように支持部３２０および受け板部３１０が回転することにより、払込票に領収印をきれいに形成することが可能である。
【００７８】
また、支持部３２０は、連結部３３０の軸方向上のあそびを持ってガイド部３４０に連結される。このため、支持部３２０および受け板部３１０は、図１２に円弧状の矢印で示したように、払込票の搬送方向に対する傾きが変化するように動くことが可能である。従って、スタンプ２３０の印面が払込票の搬送方向に対する傾きを有する場合であっても、スタンプ２３０の印面と平行になるように支持部３２０および受け板部３１０が動くことにより、払込票に領収印をきれいに形成することが可能である。
【００７９】
なお、スプリング３４８は、スタンプ２３０の押印時に所定の付勢力を発揮してもよい。スプリング３４８の付勢力を適切に設定することにより、払込票に十分な濃度の領収印を形成することができる。
【００８０】
＜５．変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００８１】
例えば、上記ではスタンプ２３０を有する上部ユニット２００が昇降する例を説明したが、本発明の実施形態はかかる例に限定されない。例えば、印字部１２８は、上部ユニット２００を駆動する駆動機構に代えて、下部ユニット３００を駆動する駆動機構を有し、当該駆動機構が下部ユニット３００を昇降させることによりスタンプ２３０と払込票との圧接を実現してもよい。
【００８２】
また、上記ではスタンプ２３０を有する上部ユニット２００が搬送路１２５の上側に配置され、受け板部３１０を有する下部ユニット３００が搬送路１２５の下側に配置される例を説明したが、本発明の実施形態はかかる例に限定されない。例えば、スタンプ２３０を有するユニットが搬送路１２５の下側に配置され、受け板部３１０を有するユニットが搬送路１２５の上側に配置されてもよい。スタンプ２３０を有するユニットと受け板部３１０を有するユニットの位置関係は上下方向に限られず、スタンプ２３０を有するユニットと受け板部３１０を有するユニットは水平方向または他の方向に沿って配置されてもよい。
【００８３】
また、上記ではガイド部３４０にガイド溝３４２が形成されることにより支持部３２０の昇降がガイドされる例を説明したが、本発明の実施形態はかかる例に限定されない。例えば、支持部３２０の壁部３２４に上下方向に沿うガイド溝が形成され、ガイド部３４０に固定された連結部が当該ガイド溝に挿入されてもよい。この場合、支持部３２０は、壁部３２４に形成されたガイド溝に沿って昇降可能である。
【００８４】
＜６．むすび＞
以上説明したように、本発明の実施形態によれば、スタンプ２３０の取り付け時の公差によりスタンプ２３０の印面が受け板部３１０と平行でない場合であっても、受け板部３１０がスタンプ２３０の印面と平行になるように支持部３２０および受け板部３１０が動くことにより、高品質な領収印を払込票に形成することが可能である。また、スタンプ２３０の取り付け後にガタが生じた場合であっても、同様に受け板部３１０がスタンプ２３０の印面と平行になるように支持部３２０および受け板部３１０が動くことにより、高品質な領収印を払込票に形成することが可能である。
【００８５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８６】
１  払込票処理システム
１０  払込票処理装置
２０  センタサーバ
６０  通信網
１００  制御部
１０２  電源部
１０４  記憶部
１０６  通信部
１０８  紙幣処理部
１１０  硬貨処理部
１１２  操作表示部
１２０  機構部
１２２  挿入部
１２４  搬送部
１２４ａ  第１の搬送部
１２４ｂ  第２の搬送部
１２５  搬送路
１２６  スキャナ部
１２８  印字部
１３０  カッタ部
１３２  一時保留部
１３４  回収部
１３６  検知部
１３８  ローラ
１４０  ブレード
２００  上部ユニット
２１２  第１摺動部
２２２  第２摺動部
２３０  スタンプ
２３２  スタンプカバー
２３４  遮光部
２３６  ラック
２４２  モーターギヤ
２４４  ２段ギヤ
２４８  上位置検出センサ
２４９  下位置検出センサ
３００  下部ユニット
３１０  受け板部
３２０  支持部
３２２  接合部
３２４  壁部
３２６  凹部
３３０  連結部
３４０  ガイド部
３４２  ガイド溝
３４６  リミッタシャフト
３４８  スプリング
４１０  第１固定部
４１２  レール部
４２０  第２固定部
４２２  レール部
８００  払込票
８０４  払込取扱票
８０８  受領証
８１０  領収印領域
８１２  データコード領域
８１４  領収印領域
８１６  領収印領域
【図１】
2019084805.tif 000003
【図２】
2019084805.tif 000004
【図３】
2019084805.tif 000005
【図４】
2019084805.tif 000006
【図５】
2019084805.tif 000007
【図６】
2019084805.tif 000008
【図７】
2019084805.tif 000009
【図８】
2019084805.tif 000010
【図９】
2019084805.tif 000011
【図１０】
2019084805.tif 000012
【図１１】
2019084805.tif 000013
【図１２】
2019084805.tif 000014